(57)【特許請求の範囲】
【請求項１】
首だけ出して大人が全身をすっぽりと入れる大きさを有し、水の漏出を防止するゴムで構成した風船形浴槽の中央部に開閉自在のファスナーを設けると共に、風船形浴槽に給水口と排水口と空気弁を設け、風船形浴槽に空気と温水を注入し風船形浴槽の形状を球体にし、風船形浴槽を固定するための固定装置を風船形浴槽の下部に設けたことを特徴とする入浴装置。
【請求項２】
風船形浴槽の下部中央付近に錘を取外自在に設けたことを特徴とする請求項１に記載の入浴装置。
【請求項３】
風船形浴槽を固定するための固定装置を輪形状としたことを特徴する請求項１乃至請求項２に記載の入浴装置
【発明の詳細な説明】
【技術分野】
【０００１】
本発明は、身体に不自由な人を簡単に入浴させる装置に関する。
【背景技術】
【０００２】
身体の不自由な人、特に寝たきりの老人の入浴は、介助人の力を借りることにより、専用の入浴装置を用いて行われている。専用の入浴装置としては、例えば身体を機械的に吊り上げて浴槽に移動させる装置、超音波発生装置及び気泡供給装置の両方またはいずれかの一方を用いて身体の不自由な人を自動的に洗浄する装置、または浴槽の一部分となっているベッドを入浴時に浴槽として組み立てる装置等が開発されている。
【０００３】
しかし、従来の方法では、身体の不自由な人を入浴させるためには通常２人以上の介添人が必要であり、多くの労力を必要とした。また、従来の入浴装置は高価で、且つ装置も大きいため一般家庭では費用面でもスペース的にも利用できない場合が多かった。一方、入浴する者にとっては、他人に身体を洗ってもらうことは恥ずかしいものである。また、医学的には股や脇等の洗浄が不十分であり、皮膚疾患を起こす例が多かった。さらに、寝たきり老人等では、寝たきりになることによって常に圧迫を受ける部位の血液循環の改善が不十分であったため、これらの問題点を解決するための手段として、次の３件が出願されている。特開２００２−２５３６３５号、登録実用３０９２１０６号、特開平７−３２０８０９４号である。
【発明の開示】
【発明が解決しようとする課題】
【０００４】
しかしこれらの技術では身体の自由はなく、狭い袋の中に寝たままの状態で洗浄同然の入浴であった。そこで本発明は、球体であることで空間を生み出し、状態を起こして手足を自由に動かすことが出来る。ということが大きな特徴である。
【特許文献１】特開平７−３２８０９４号公報
【特許文献２】特開２００２−２５３６３５号公報
【特許文献３】登録実用新案公報３０９２１０６号公報
【課題を解決するための手段】
【０００５】
そのために本発明の入浴装置は、首だけ出して大人が全身をすっぽりと入れる大きさを有し、水の漏出を防止するゴムで構成した風船形浴槽の中央部に開閉自在のファスナーを設けると共に、風船形浴槽に給水口と排水口と空気弁を設け、風船形浴槽に空気と温水を注入し風船形浴槽の形状を球体にし、風船形浴槽を固定するための固定装置を風船形浴槽の下部に設けている。
【０００６】
又、風船形浴槽の下部中央付近に錘を取外自在に設けている。
【０００７】
更に、風船形浴槽を固定するための固定装置を輪形状とした。
【発明の効果】
【０００８】
本発明を用いれば、例えば本発明を寝床に設置することにより、寝たきりの状態になっている被介護者をたった一人の介護者によって入浴させることも容易になる。被介護者としては家族など最も信頼できる者一人の手を借りるだけで済むので、入浴の意思を表示し易くなる。また、介護者に求める行為も、被介護者の風船形浴槽への出入りの補助、給湯管・排水管・送風間の開け閉め、風船浴槽内の空気と湯の比率の調整など、重労働となるものはなく、被介護者が入浴中常にそばにいなければならないものでもない。介護者への負担も軽いものに抑えることが出来る。よって毎日入浴の手伝いをすることも大変な苦労とはならない。
【０００９】
本発明は風船形浴槽内の空気と湯量の比率を変化させることが出来る。これにより、単に衛生目的の入浴だけでなく、たとえは冬場に風船形浴槽内の空気の割合を増やし、半身浴を長時間行うことによって血行を改善し、防寒に役立てることができるなど、様々な入浴スタイルを可能とする効果がある。
【００１０】
さらに本発明の重要な効果として、被介護者へのリハビリの効果が挙げられる。一日中寝ている被介護者にとって、入浴の度に起き上がることは刺激になる。また、風船形浴槽内では手足を十分に動かせる空間があるので、重力の負担が軽減される湯船の中では、手足を動かすことや自分の手で触れることが出来なかった足に触れることも可能となり、多くの刺激を感受することが出来る効果がある。
【発明を実施するための最良の形態】
【００１１】
図１、図２、図３、図４は本発明に係る実施例の入浴装置１を示したものである。図１は大人の入浴者２の頭部を外部に位置させた状態で入浴者２の体を風船形浴槽３の内部に収納し、風船形浴槽３（以下浴槽という）が球体になった状態である。入浴者２は浴槽３の首部４から下りるファスナー５から出入りし、浴槽３を閉鎖系にして入浴を行えるようにしたものである。
【００１２】
浴槽３は図３に示すようにファスナー５を開けて入浴者２を浴槽３へ入れる。浴槽３を寝床の上に置いて少なくとも１人の介護人によって入浴者２を浴槽３に入れてファスナー５を閉じ、入浴を開始する。
【００１３】
浴槽３の材料は変形可能で温水が漏れないものでなくてはならない。耐水性に優れ軽量であり、取り扱いが容易であるためにはゴム等が好ましい。浴槽３内の温水の量の加減は、空気量の調整で行う。
【００１４】
温水漏れをなくすために、ファスナー５はダイビングスーツ用を使うことが望ましい。首部４についての首周りの締まりは微妙な強弱があるが、やわらかいゴムの特質によってカバーできる。入浴中は上体が起きているので、あまり漏れについては重大な機能は要しない。
【００１５】
次に、図１から図５を用いて本発明を具体的に説明する。
【００１６】
図１は入浴者２が浴槽３に入った状態であり、図２は浴槽３の構造を表している。図４は収納状態である。図５は入浴中の浴槽３の輪形状の固定装置のストッパー１０である。
【００１７】
入浴者２を浴槽３に入れるには、ファスナー５を開けて中に入れる。入浴者２は膝を折る状態になるが、その後の入浴方法に安定感を与えることになる。浴槽３を寝床の上に置いて、少なくとも１人の介添え人によって入浴者２を浴槽３の中に入れることが可能である。
【００１８】
入浴者２が浴槽３に入りファスナー５を閉めた後に、温水を浴槽３に入れて入浴を始める。温水はホース等を用いて給水口６から入れる。
【００１９】
同時に空気を空気弁７から送り浴槽３の形状を球体へ変えていく。温水の量は空気との割合で調整していく。風船形の球体となるまでに入浴者２の上体を徐々に起こしていく。
【００２０】
風船形の球体となった状態でストッパー１０を嵌め固定し、入浴者２は温水の中で手足を動かして身体をほぐす。前もってタオルを持ち自ら洗浄をすることも出来る。
【００２１】
入浴者２が満足した時点で排水口８から排水をしながらストッパー１０を外し、徐々に上体を寝かす。排水が終われば、ファスナー５を開けて入浴者２を浴槽３から出し、乾いたタオルなどで拭きながら、ベットの上に身体を戻して終了する。
【００２２】
尚、浴槽３の安定性を確保するために、浴槽３の下部中央付近に錘９を設けても良い。錘９を設けたことにより浴槽３は首部４が常に上部に来るようになるので、浴槽３は安定する。
【図面の簡単な説明】
【００２３】
【図１】本発明の入浴装置１の使用状態の断面図
【図２】本発明の入浴装置１の膨らんだ状態の正面図
【図３】本発明の入浴装置１のファスナー５を開けた状態の正面図
【図４】本発明の入浴装置１の収納状態の正面図
【図５】ストッパー１０の斜面図
【符号の説明】
【００２４】
１  入浴装置
２  入浴者
３  風船形浴槽
４  首部
５  ファスナー
６  給水口
７  空気弁
８  排水口
１０  ストッパー
【要約】
【課題】身体の自由はなく、狭い袋の中に寝たままの状態で洗浄同然の入浴装置であった。
【解決手段】本発明の入浴装置は、首だけ出して大人が全身をすっぽりと入れる大きさを有し、水の漏出を防止するゴムで構成した風船形浴槽の中央部に開閉自在のファスナーを設けると共に、風船形浴槽に給水口と排水口と空気弁を設けている。
【選択図】  図１【図１】
0004299359.tif 000002
【図２】
0004299359.tif 000003
【図３】
0004299359.tif 000004
【図４】
0004299359.tif 000005
【図５】
0004299359.tif 000006